(57)【要約】【課題】容易に内部の家庭用薄葉紙を詰め替えることのできる家庭用薄葉紙収納容器を提供する。【解決手段】内部に家庭用薄葉紙Ｐが収納される容器本体１を備えた家庭用薄葉紙収納容器１００であって、容器本体１は、容器本体１の上部を形成する容器本体上部１１と、容器本体１の下部を形成する容器本体下部１２と、を備え、容器本体上部１１は、家庭用薄葉紙Ｐを取り出す取出孔１１２を有し、取出孔１１２を閉塞する開閉蓋２が備えられ、容器本体上部１１と、容器本体下部１２とは、容器本体上部１１の下端部と、容器本体下部１２の上端部とにおいて、回動自在に接続されている。【選択図】図４
2019151386.tif 000002
【特許請求の範囲】
【請求項１】
内部に家庭用薄葉紙が収納される容器本体を備えた家庭用薄葉紙収納容器であって、
前記容器本体は、
前記容器本体の上部を形成する容器本体上部と、前記容器本体の下部を形成する容器本体下部と、を備え、
前記容器本体上部は、家庭用薄葉紙を取り出す取出孔を有し、当該取出孔を閉塞する開閉蓋が備えられ、
前記容器本体上部と、前記容器本体下部とは、前記容器本体上部の下端部と、前記容器本体下部の上端部とにおいて、回動自在に接続されていることを特徴とする家庭用薄葉紙収納容器。
【請求項２】
前記容器本体は略直方体状に形成され、
前記容器本体上部と、前記容器本体下部とは、前記容器本体の一面においてのみ接続されていることを特徴とする請求項１に記載の家庭用薄葉紙収納容器。
【請求項３】
前記容器本体は、上下方向中央部よりも上部において、前記容器本体上部と、前記容器本体下部とに分割されていることを特徴とする請求項１又は２に記載の家庭用薄葉紙収納容器。
【請求項４】
前記容器本体上部の下端部には、前記容器本体下部と接続された部分を除いて前記容器本体上部を周回するようにして、弾性材料によって形成された上部嵌合部が備えられ、
前記容器本体下部の上端部には、前記容器本体上部と接続された部分を除いて前記容器本体下部を周回するようにして、弾性材料によって形成され、前記上部嵌合部と嵌合する下部嵌合部が備えられていることを特徴とする請求項１から３のいずれか一項に記載の家庭用薄葉紙収納容器。
【請求項５】
前記上部嵌合部には、外周側又は内周側のみが下方へと突出するようにして形成された上部突出部が備えられ、
前記下部嵌合部には、内周側又は外周側のみが上方へと突出するようにして形成された下部突出部が備えられ、
前記上部突出部と、前記下部突出部とが嵌合することを特徴とする請求項４に記載の家庭用薄葉紙収納容器。
【請求項６】
前記上部嵌合部には、周方向において交互に、上部凸部と上部凹部とが形成され、
前記下部嵌合部には、周方向において交互に、下部凸部と下部凹部とが形成され、
前記上部凸部と前記下部凹部とが組み合わさり、前記上部凹部と前記下部凸部とが組み合わさることによって、前記上部嵌合部と、前記下部嵌合部とが嵌合することを特徴とする請求項４に記載の家庭用薄葉紙収納容器。
【請求項７】
前記容器本体下部は、下面に弾性材料によって形成された滑り止め部を備えることを特徴とする請求項１から６のいずれか一項に記載の家庭用薄葉紙収納容器。
【請求項８】
前記弾性材料は、硬度が２０以上、９０以下であることを特徴とする請求項４から７のいずれか一項に記載の家庭用薄葉紙収納容器。
【発明の詳細な説明】
【技術分野】
【０００１】
本発明は、家庭用薄葉紙収納容器に関する。
【背景技術】
【０００２】
ウェットティッシュ等の家庭用薄葉紙の収納容器においては、容器内部の家庭用薄葉紙を詰め替えることができることが必須であるが、このための機構としては、容器本体の底蓋を取り外し可能としたものが知られている（例えば、特許文献１参照）。
【先行技術文献】
【特許文献】
【０００３】
【特許文献１】特開２０１６−１７２５８１号公報
【発明の概要】
【発明が解決しようとする課題】
【０００４】
このような家庭用薄葉紙収納容器においては、容器内部の家庭用薄葉紙の詰め替え時には、容器を持ち上げて裏返し、底蓋を剥がして内部に家庭用薄葉紙を詰めた上で、蓋体を取り付けて容器を再度裏返す必要があり、詰め替えに非常に手間が掛かった。
【０００５】
本発明の課題は、容易に内部の家庭用薄葉紙を詰め替えることのできる家庭用薄葉紙収納容器を提供することである。
【課題を解決するための手段】
【０００６】
前記課題を解決するために、請求項１記載の発明は、
内部に家庭用薄葉紙が収納される容器本体を備えた家庭用薄葉紙収納容器であって、
前記容器本体は、
前記容器本体の上部を形成する容器本体上部と、前記容器本体の下部を形成する容器本体下部と、を備え、
前記容器本体上部は、家庭用薄葉紙を取り出す取出孔を有し、当該取出孔を閉塞する開閉蓋が備えられ、
前記容器本体上部と、前記容器本体下部とは、前記容器本体上部の下端部と、前記容器本体下部の上端部とにおいて、回動自在に接続されていることを特徴とする。
本発明によれば、内部の家庭用薄葉紙を詰め替え易くなる。
【０００７】
請求項２に記載の発明は、請求項１に記載の家庭用薄葉紙収納容器において、
前記容器本体は略直方体状に形成され、
前記容器本体上部と、前記容器本体下部とは、前記容器本体の一面においてのみ接続されていることを特徴とする。
本発明によれば、内部の家庭用薄葉紙を詰め替え易くなる。
【０００８】
請求項３に記載の発明は、請求項１又は２に記載の家庭用薄葉紙収納容器において、
前記容器本体は、上下方向中央部よりも上部において、前記容器本体上部と、前記容器本体下部とに分割されていることを特徴とする。
本発明によれば、内部の家庭用薄葉紙をさらに詰め替え易くなる。
【０００９】
請求項４に記載の発明は、請求項１から３のいずれか一項に記載の家庭用薄葉紙収納容器において、
前記容器本体上部の下端部には、前記容器本体下部と接続された部分を除いて前記容器本体上部を周回するようにして、弾性材料によって形成された上部嵌合部が備えられ、
前記容器本体下部の上端部には、前記容器本体上部と接続された部分を除いて前記容器本体下部を周回するようにして、弾性材料によって形成され、前記上部嵌合部と嵌合する下部嵌合部が備えられていることを特徴とする。
本発明によれば、容器本体の密閉性を改善することができる。
【００１０】
請求項５に記載の発明は、請求項４に記載の家庭用薄葉紙収納容器において、
前記上部嵌合部には、外周側又は内周側のみが下方へと突出するようにして形成された上部突出部が備えられ、
前記下部嵌合部には、内周側又は外周側のみが上方へと突出するようにして形成された下部突出部が備えられ、
前記上部突出部と、前記下部突出部とが嵌合することを特徴とする。
本発明によれば、容器本体の密閉性をさらに改善することができる。
【００１１】
請求項６に記載の発明は、請求項４に記載の家庭用薄葉紙収納容器において、
前記上部嵌合部には、周方向において交互に、上部凸部と上部凹部とが形成され、
前記下部嵌合部には、周方向において交互に、下部凸部と下部凹部とが形成され、
前記上部凸部と前記下部凹部とが組み合わさり、前記上部凹部と前記下部凸部とが組み合わさることによって、前記上部嵌合部と、前記下部嵌合部とが嵌合することを特徴とする。
本発明によれば、容器本体上部と、容器本体下部とを強固に嵌合させることができる。
【００１２】
請求項７に記載の発明は、請求項１から６のいずれか一項に記載の家庭用薄葉紙収納容器において、
前記容器本体下部は、下面に弾性材料によって形成された滑り止め部を備えることを特徴とする。
本発明によれは、家庭用薄葉紙につき、使用時に滑りにくくなる。
【００１３】
請求項８に記載の発明は、請求項４から７のいずれか一項に記載の家庭用薄葉紙収納容器において、
前記弾性材料は、硬度が２０以上、９０以下であることを特徴とする。
本発明によれは、容器本体の密閉性をさらに改善することができる。
【発明の効果】
【００１４】
本発明によれば、容易に内部の家庭用薄葉紙を詰め替えることのできる家庭用薄葉紙収納容器を提供することができる。
【図面の簡単な説明】
【００１５】
【図１】実施形態に係る家庭用薄葉紙収納容器の斜視図である。なお、網掛け部分は弾性材料によって形成された部分を表す。
【図２】図１のＹ方向中央部における断面図である。なお、網掛け部分は弾性材料によって形成された部分を表す。
【図３】開閉蓋を閉塞した状態における、図２と同一の部分における断面図である。なお、網掛け部分は弾性材料によって形成された部分を表す。
【図４】容器本体上部と容器本体下部との嵌合を外した状態の、図２と同一の部分における断面図である。なお、網掛け部分は弾性材料によって形成された部分を表す。
【図５】変形例に係る家庭用薄葉紙収納容器の斜視図である。なお、網掛け部分は弾性材料によって形成された部分を表す。
【図６】開閉蓋を閉塞した状態における、図５のＹ方向中央部における断面図である。なお、網掛け部分は弾性材料によって形成された部分を表す。
【発明を実施するための形態】
【００１６】
以下、本発明の実施形態である家庭用薄葉紙収納容器１００の具体的な態様について、図１から図６に基づいて説明する。ただし、本発明の技術的範囲は、図示例に限定されるものではない。
なお、以下においては、図１に示すように、Ｘ軸、Ｙ軸及びＺ軸並びに前後方向、左右方向及び上下方向を定めて説明する。すなわち、家庭用薄葉紙収納容器１００の開閉蓋２が備えられた側を「上」、その反対側を「下」、容器本体１と開閉蓋２とが接続されている側を「後」、その反対側を「前」、後側を向いた状態における右手側を「右」、後側を向いた状態における左手側を「左」とし、前後方向に沿った軸をＸ軸、左右方向に沿った軸をＹ軸、上下方向の沿った軸をＺ軸とする。
【００１７】
［実施形態の構成］
｛全体構成｝
家庭用薄葉紙収納容器１００は、図１に示すように、内部の家庭用薄葉紙を取り出す取出孔１１２を備えた容器本体１と、取出孔１１２を覆うように開閉自在に容器本体１に接続された開閉蓋２と、容器本体１から開閉蓋２へと延在し、開閉蓋２を開放方向に付勢する付勢手段３とを備え、容器本体１の内部に家庭用薄葉紙Ｐが収納される収納空間Ｓが形成されている。
また、容器本体１と、開閉蓋２とは、射出成形（２色成形）によって一体的に形成することができる。
【００１８】
｛家庭用薄葉紙｝
家庭用薄葉紙Ｐとしては、例えば、小型のウェットシート、ウェットティッシュ等が交互に折り重ねられた状態で積層され、１枚のウェットシート、ウェットティッシュ等を引き出した際に次のウェットシート、ウェットティッシュ等も引き出されるように形成された、所謂ポップアップ式のシートが用いられる。その他には、例えば、長さ方向に一定の間隔でミシン目が施された長大なウェットシート、ウェットティッシュ等がロール状に巻かれ、ミシン目に沿って切り離して使用するロールシートを用いることもできる。
【００１９】
｛容器本体｝
容器本体１は、図１に示すように、全体として、Ｘ方向及びＺ方向に比してＹ方向に長い略直方体状に形成され、これがＺ方向中央部付近において上下に二分され、容器本体１の上側を構成する容器本体上部１１と、容器本体１の下側を構成する容器本体下部１２と、が形成されている。容器本体上部１１と、容器本体下部１２とは容器本体１の後側において接続されている。
容器本体１と、開閉蓋２とは、射出成形（２色成形）によって一体的に形成することができる。
【００２０】
容器本体１は、全体が、Ｘ方向に好ましくは６０ｍｍから１５０ｍｍ、さらに好ましくは８０ｍｍから１００ｍｍ、Ｙ方向に好ましくは８０ｍｍから２００ｍｍ、さらに好ましくは１４５ｍｍから１６５ｍｍ、Ｚ方向に好ましくは３０ｍｍから１００ｍｍ、さらに好ましくは５０ｍｍから７０ｍｍの大きさとなるように形成されている。
また、各面の厚みは、好ましくは０．５ｍｍから３ｍｍ、さらに好ましくは１ｍｍから２ｍｍである。
この大きさ及び厚みであれば、成形効率が高く、かつ実使用に問題ない強度を達成することができる。
【００２１】
容器本体１は、図４に示すように、容器本体上部１１と容器本体下部１２とが接続された後側を支点とし、容器本体上部１１を上方へと回動させることによって、内部の収納空間Ｓを外部に開放することができる。
容器本体１後側の、容器本体上部１１と容器本体下部１２との接続部分が、図２から図４に示すように、容器本体１の他の部分と比較して薄くなるように形成されていることによって、当該接続部分において容器本体の後面を容易に曲げることができ、容器本体上部１１を、当該接続部分を支点として、容器本体下部１２に対して回動させ易くなる。
【００２２】
なお、生産性は低下するものの、容器本体上部１１と、容器本体下部１２とを別体として形成の上、これらをヒンジ等によって回動自在に接続することも可能である。
また、容器本体１が容器本体上部１１と容器本体下部１２とに二分される位置は、図においては、Ｚ方向中央部付近とした場合につき図示したが、Ｚ方向中央部よりも上部であれば、さらに好ましい。この場合、収納された家庭用薄葉紙Ｐが所定の包装体によって覆われた状態で、容器本体１内に収納される場合において、容器の閉塞時に包装体のエンドシール部等を挟み込んでしまうおそれを低減することができ、家庭用薄葉紙Ｐをさらに詰め替え易くなる。
【００２３】
（容器本体上部）
容器本体上部１１は、図１から図４に示すように、下面が開口部となった略直方体状に形成され、上部に下方に凹状となる凹部１１１が形成されている。凹部１１１には、中央部に収納空間Ｓの家庭用薄葉紙Ｐを取り出す取出孔１１２が備えられ、取出孔１１２を囲むようにして、本体側密閉環部１１３が形成されている。
また、上面の前側には、開閉蓋２を開閉するための係止手段１１４が形成され、後ろ側には開放時の開閉蓋２を安定させるための上部滑り止め部１１５が形成されている。
また、下面の開口部の周囲には、後述の容器本体下部１２の下部嵌合部１２１と嵌合する上部嵌合部１１６が形成されている。
【００２４】
（取出孔）
取出孔１１２は、容器本体上部の上面略中央に形成された、収納空間Ｓにつながる孔部である。
図１においては、十字型に２本の切り込みを入れることにより形成されている場合につき図示したが、これに限られず、切り込みの本数はこれより多数でもよく、また、例えば、直角三角形の重心点と各頂点とを結ぶように、３本の切り込みを形成するようにしてもよい。
この取出孔１１２は、後述のようにその周囲が弾性を有する材料によって形成されており、家庭用薄葉紙Ｐに対して適切な抵抗を掛けることで、収納空間Ｓに収納された家庭用薄葉紙Ｐが引き出された後に、次の家庭用薄葉紙Ｐを保持する機能を果たす。また、家庭用薄葉紙Ｐがロールシートである場合において、家庭用薄葉紙Ｐに設けられている切断用のミシン目で、これを切断することを可能とする。
【００２５】
（本体側密閉環部）
本体側密閉環部１１３は、図１に示すように、取出孔１１２を囲むように環状に上方へと突出する凸部であり、図３及び図４に示すように、その外周側の面が後述の開閉蓋２に形成された開閉蓋側密閉環部２２の内周側の面と嵌合するように形成されている。
【００２６】
（係止手段）
係止手段１１４は、図１に示すように、本体側爪部１１４１を備えるボタン状に形成され、本体側爪部１１４１が後述の開閉蓋２に形成される開閉蓋側爪部２１と係合することによって、これを閉塞状態で係止するとともに、使用者が係止手段１１４を押圧した際には、本体側爪部１１４１と開閉蓋側爪部２１との係合が外れ、開閉蓋２が開放状態となるように形成されている。
【００２７】
（上部滑り止め部）
上部滑り止め部１１５は、図１に示すように、容器本体上部１１上面の、開閉蓋２との接続部分後方に形成された、開放時の開閉蓋２を滑り難くするための部分であり、後述のように弾性部材によって形成されていることによって、蓋体との間の摩擦抵抗を高め、その揺れを防止する。
【００２８】
（上部嵌合部）
上部嵌合部１１６は、図１から図４に示すように、容器本体上部１１下部の開口部の周囲に、容器本体上部１１と容器本体下部１２とが接続された後側を除いて形成され、図２から図４に示すように、下端部が外周側のみ突出し、上部突出部１１６１が形成されており、上部突出部１１６１の内周側の面が、後述の容器本体下部１２に形成される下部嵌合部１２１の下部突出部１２１１の外周側の面と嵌合するように形成されている。
上部嵌合部１１６は、上部突出部１１６１が、上下方向に好ましくは０．５ｍｍから５ｍｍ、さらに好ましくは１ｍｍから３ｍｍの長さを有するように形成される。
【００２９】
（容器本体上部の材質）
容器本体上部は、図１に示すように、上面の本体側密閉環部１１３及び凹部１１１内における本体側密閉環部１１３によって囲まれた部分が、例えば、シリコンゴムや、スチレン−ブタジエン系、ポリエステル系、ポリエチレン系、ウレタン系等の熱可塑性エラストマー等の弾性を有する材料（以下、「弾性材料」という。）によって形成されている。弾性材料の性質としては、硬度が２０から９０であることが望ましい。なお、上記硬度は、JIS K 6253（タイプAデュロメータ）によって測定されたものである。
また、容器本体上部１１のうち、後述の付勢手段３を形成する部分、上部滑り止め部１１５、上部嵌合部１１６も、同様の弾性材料によって形成されている。
容器本体上部のその他の部分は、例えば、ポリエチレン、ポリプロピレン等によって形成されている。
これらは、射出成形（２色成形）によって一体的に形成されている。
なお、弾性材料の硬度が上記よりも低くなると、柔らか過ぎて成形が難しく、成形効率が悪くなる。さらに、付勢手段３が開閉蓋２を開放方向へと付勢する力が十分でなくなる。また、硬度が上記よりも高くなると、取出孔１１２周辺が硬くなり、抵抗が掛かり過ぎて、シートが一枚ずつ取り出しにくくなり、かつ、シートを引っ張り出す際に容器内部まで指を入れ難くなる。さらに、付勢手段３が開閉蓋２を開放方向へと付勢する力が強くなり過ぎる。
したがって、弾性材料の硬度は、上記範囲とすることが望ましい。
【００３０】
（容器本体下部）
容器本体下部１２は、図１から図４に示すように、上面が開口部となった略直方体状に形成され、上面の開口部の周囲には、容器本体上部１１の上部嵌合部１１６と嵌合する下部嵌合部１２１が形成されている。また、下面には、下部滑り止め部１２２が形成されている。
【００３１】
（下部嵌合部）
下部嵌合部１２１は、図１から図４に示すように、容器本体下部１２上部の開口部の周囲に、容器本体下部１２と容器本体上部１１とが接続された後側を除いて形成され、図２から図４に示すように、上端部が内周側のみ突出し、下部突出部１２１１が形成されており、下部突出部１２１１の外周側の面が、容器本体上部１１に形成される上部嵌合部１１６の上部突出部１１６１の内周側の面と嵌合するように形成されている。
下部嵌合部１２１は、下部突出部１２１１が、上下方向に好ましくは０．５ｍｍから５ｍｍ、さらに好ましくは１ｍｍから３ｍｍの長さを有するように形成される。
【００３２】
なお、上部嵌合部１１６の上部突出部１１６１が、内周側のみ突出するように形成され、下部嵌合部１２１の下部突出部１２１１が、外周側のみ突出するように形成され、上部突出部１１６１の外周側の面と、下部突出部１２１１の内周側の面とが嵌合するようにしてもよい。
また、上部突出部が、内周側と外周側の間の中央部が突出するように形成され、下部突出部が、内周側と外周側の両側において突出し、間に凹部が生じるように形成され、上部突出部と、下部突出部の間の凹部とが嵌合するようにしてもよい。反対に、上部突出部が、内周側と外周側の両側において突出し、間に凹部が生じるように形成され、下部突出部が、内周側と外周側の間の中央部が突出するように形成され、下部突出部と、上部突出部の間の凹部とが嵌合するようにしてもよい。
【００３３】
（下部滑り止め部）
下部滑り止め部１２２は、家庭用薄葉紙収納容器１００を載置した際にこれを滑りにくくするための部分であり、容器本体下部１２の下面に、弾性材料によって形成された部分を、他の部分と一体的に設けることにより形成されている。
【００３４】
（容器本体下部の材質）
容器本体下部１２は、下部嵌合部１２１及び下部滑り止め部１２２が、容器本体上部１１において用いられるのと同様の弾性材料によって形成され、その他の部分は、例えば、ポリエチレン、ポリプロピレン等によって形成されている。
これらは、射出成形（２色成形）によって一体的に形成されている。
【００３５】
｛開閉蓋｝
開閉蓋２は、図１から図４に示すように、容器本体上部１１の凹部１１１後方に回動自在に接続された扁平な略矩形状の部材であり、前側に開閉蓋側爪部２１を備え、下面側に開閉蓋側密閉環部２２を備える。
開閉蓋２は、図１から図４に示すように、閉塞時の平面視における形状が容器本体上部１１の凹部１１１の平面視における形状と略同一となるように形成されており、閉塞時において、凹部１１１に嵌め込むことができるように形成されている。
【００３６】
（開閉蓋側爪部）
開閉蓋側爪部２１は、図１から図４に示すように、開閉蓋２の前方に突出する爪部であり、容器本体上部１１の係止手段１１４に形成される本体側爪部１１４１と係合することによって、開閉蓋を閉塞状態で係止するとともに、使用者が係止手段１１４を押圧した際には、本体側爪部１１４１と開閉蓋側爪部２１との係合が外れ、後述の付勢手段３によって、開閉蓋２が開放状態となるように形成されている。
【００３７】
（開閉蓋側密閉環部）
開閉蓋側密閉環部２２は、図１に示すように、開閉蓋２の閉塞時における下面側中央部に形成された、下方へと環状に突出する凸部であり、図３及び図４に示すように、その内周側の面が、容器本体上部１１に形成された本体側密閉環部１１３の外周側の面と嵌合するように形成されている。
【００３８】
（開閉蓋の材質）
開閉蓋２は、図１に示すように、開閉蓋側密閉環部２２及び開閉蓋側密閉環部２２に囲まれた部分が、容器本体上部１１等において用いられるのと同様の弾性材料によって形成され、その他の部分は、例えば、ポリエチレン、ポリプロピレン等によって形成されている。
これらは、射出成形（２色成形）によって一体的に形成されている。
【００３９】
｛付勢手段｝
付勢手段３は、開閉蓋２を開放方向へと付勢し、使用者が係止手段１１４を押圧し、本体側爪部１１４１と、開閉蓋側爪部２１との係合が外れた際に、開閉蓋２を後方の容器本体上部１１との接続部分を回転軸として回転するようにして開放させるための部材である。
【００４０】
付勢手段３は、図１から図４に示すように、容器本体上部１１の本体側密閉環部１１３の後方と、開閉蓋２の開閉蓋側密閉環部２２の開閉蓋２が閉塞された状態における後方とを繋ぐようにして、容器本体上部１１及び開閉蓋２に、弾性材料によって形成された部分を設けることによって形成されている。すなわち、付勢手段３は、容器本体上部１１の弾性材料によって形成された部分と、開閉蓋２の弾性材料によって形成された部分とを繋ぐようにして、容器本体上部１１及び開閉蓋２に埋め込まれるようにして、これらと一体的に形成されている。
【００４１】
付勢手段３は、容器本体上部１１の本体側密閉環部１１３で囲まれた部分等で用いられるのと同様の、シリコンゴムや、スチレン−ブタジエン系、ポリエステル系、ポリエチレン系、ウレタン系等の熱可塑性エラストマー等の弾性材料によって形成されている。
付勢手段３は、幅が好ましくは２ｍｍ〜３０ｍｍ、さらに好ましくは８ｍｍ〜１０ｍｍ、厚みが好ましくは０．５ｍｍ〜３ｍｍ、さらに好ましくは１ｍｍ〜２ｍｍの帯状となるように、容器本体上部１１及び開閉蓋２に形成される。
付勢手段３がこのような大きさに形成されていることによって、開閉蓋２を無理なく押し上げることが可能であり、かつ、開閉蓋２の閉塞時において、凹部１１１内において付勢手段３を容易に折り畳むことができる。
【００４２】
付勢手段３は、図３に示すように、開閉蓋２の閉塞時において、これが開閉蓋２の付け根において折り畳まれることとなる。そして、使用者が係止手段１１４を押圧し、本体側爪部１１４１と、開閉蓋側爪部２１との係合が外れた際には、折りたたまれた付勢手段３が伸びようとする力によって、開閉蓋２が開放され、図２に示す状態となる。
また、使用者が開閉蓋２を閉塞する際には、開閉蓋を上方から押せば、付勢手段３が折り畳まれ、図３に示す状態となる。
【００４３】
［実施形態の効果］
実施形態に係る家庭用薄葉紙収納容器１００によれば、使用者が係止手段１１４を操作し、開閉蓋２の係止が外れると、付勢手段３によって、開閉蓋２が自動的に跳ね上げられることから、家庭用薄葉紙使用時の開閉蓋の開放が容易となる。
また、付勢手段３は、容器本体上部１１及び開閉蓋２において、取出孔１１２周辺等の、他の弾性部材によって形成された部分と同一の弾性材料によって形成され、容器本体１及び開閉蓋２と一体的に形成することができる。したがって、異なる材料を用いる必要がなく、部品点数も増加しないことから、付勢手段３を備えることによって、生産性の低下を招くこともない。
【００４４】
特に、容器本体上部１１の取出孔１１２周辺は、家庭用薄葉紙Ｐに対して適切な抵抗を掛けるためにも、弾性材料によって形成されることが望ましい。本実施形態によれば、このような取出孔１１２周辺から連続する形で、付勢手段３を形成することができ、取出孔１１２周辺と別途弾性材料を配置する必要がないことから、生産性の面でさらに好ましい。
【００４５】
また、容器本体上部１１に弾性材料によって本体側密閉環部１１３が形成され、開閉蓋２に弾性材料によって開閉蓋側密閉環部２２が備えられ、これらが開閉蓋２の閉塞時に嵌合するように構成されていることで、取出孔１１２、ひいては容器本体１内部の収納空間Ｓの気密性を改善させることができる。この効果は、本体側密閉環部１１３及び開閉蓋側密閉環部２２の双方が弾性材料によって形成されていることで、特に高めるこができる。
【００４６】
また、容器本体１上面の、開閉蓋２の後方に、弾性材料によって上部滑り止め部１１５が形成されていることで、開放時の開閉蓋２の安定性を改善することができる。
【００４７】
また、容器本体１が、容器本体上部１１と容器本体下部１２とによって構成され、これらが後面において接続されていることで、容器本体１をその中央部で開けて、内部の収納空間Ｓに収納された家庭用薄葉紙Ｐを詰め替えることができる。
したがって、家庭用薄葉紙Ｐの詰め替えの際に、家庭用薄葉紙収納容器１００を持ち上げることを要せず、テーブル等に載置した状態のままで、詰め替え作業を行うことができる。
【００４８】
また、容器本体上部１１と容器本体下部１２とは、後面で接続されており、当該接続部分を支点として、容器本体上部１１を、容器本体下部１２に対して回動させるようにして、収納空間Ｓを開閉することができる。したがって、詰め替え後等において、容器本体上部１１と容器本体下部１２との位置を逐一合わせることなく、容易にこれらを嵌合させて容器本体を閉じた状態とすることができ、内部の家庭用薄葉紙Ｐの詰め替えの手間を低減することができる。
【００４９】
また、容器本体上部１１に弾性材料によって上部嵌合部１１６が形成され、容器本体下部１２に弾性材料によって下部嵌合部１２１が形成され、容器本体１の閉塞時に、これらが嵌合することで、容器本体１の気密性も向上することができる。この効果は、上部嵌合部１１６及び下部嵌合部１２１の双方が弾性材料によって形成されていることで、特に高めることができる。
【００５０】
また、容器本体１の下面に弾性材料によって下部滑り止め部１２２が形成されていることで、容器本体１をテーブルの上等に載置した際の安定性を向上させることができる。
【００５１】
また、家庭用薄葉紙収納容器１００は、全体が２種類の樹脂素材（シリコンゴムや、スチレン−ブタジエン系、ポリエステル系、ポリエチレン系、ウレタン系等の熱可塑性エラストマー等の弾性材料と、ポリエチレン、ポリプロピレン等の比較的硬質な材料）によって形成され、射出成形（２色成形）によって、これを一体的に形成することができることから、上記の付勢手段３の構成以外の面においても、生産性に優れる。
【００５２】
［変形例］
実施形態に係る家庭用薄葉紙収納容器１００においては、容器本体上部１１と開閉蓋２とが一体的に形成され、付勢手段３もこれらの双方と一体的に形成された場合につき説明したが、容器本体上部１１と開閉蓋２とが別体として形成され、これらがヒンジ等によって接続されるようにしてもよい。
【００５３】
この場合、付勢手段３も容器本体上部１１とのみ一体的に形成され、開閉蓋２とは別体として形成されていてもよい。
この場合、例えば、付勢手段３を容器本体上部１１から突出するようにして形成すると共に、開閉蓋２にこれを嵌め込むための間隙を形成しておき、当該間隙に付勢手段３の突出部分を嵌め込む等の方法によって、付勢手段３を開閉蓋２に対して接続する。
この場合においても、付勢手段３は、少なくとも容器本体上部１１とは一体的に形成されることから、両者と別体として形成される場合と比較すれば、生産性を改善することができる。
【００５４】
付勢手段３の配置は、図示したものに限られない。図１においては、中央一か所にのみ備えられた場合につき図示したが、例えば、左右方向に複数箇所備えられてもよい。
【００５５】
付勢手段３は、図１に示したように容器本体上部１１の上面及び開閉蓋２と一体化して、これらに埋め込まれるように形成される場合に限られない。
例えば、図５及び図６に示す付勢手段３Ａのように、一端部のみが容器本体上部１１上面の弾性部材によって形成された部分に接続され、他端部のみが開閉蓋２の弾性部材によって形成された部分に接続され、容器本体上部１１と開閉蓋２とを橋渡しするようにして、これらと一体的に形成されていてもよい。なお、容器本体上部１１とのみ一体的に形成され、開閉蓋２とは、例えば、窪みに嵌るようにしたり、ヒンジを用いたりといった方法によって接続されるようにしてもよい。
【００５６】
付勢手段３Ａは、図６に示すように、開閉蓋２の閉塞時において、これが前方へと折り畳まれている。そして、使用者が係止手段１１４を押圧し、本体側爪部１１４１と、開閉蓋側爪部２１との係合が外れた際には、折りたたまれた付勢手段３Ａが伸びようとする力によって、開閉蓋２が開放され、図５に示す状態となる。
また、使用者が、開閉蓋２を閉塞する際には、使用者が開閉蓋を上方から押せば、自動的に付勢手段３Ａが折り畳まれ、図６に示す状態となる。
このような付勢手段３Ａによれば、上記実施形態に係る付勢手段３と比較すると、構造が複雑になるものの、付勢手段による付勢力を高めることができる。
【００５７】
なお、この場合も付勢手段３Ａの配置は図示したものに限られない。
図５においては２つの付勢手段３Ａを備えた場合について図示したが、中央に一つのみ備えてもよいし、３つ以上備えてもよい。
また、図５及び図６においては、付勢手段３Ａが本体側密閉環部１１３の内側と、開閉蓋側密閉環部２２の内側とに接続される場合につき図示したが、弾性材料によって形成される部分をこれらの外側まで拡張した上で、付勢手段３Ａが本体側密閉環部１１３の外側と、開閉蓋側密閉環部２２の外側とに接続されるようにしてもよい。
【００５８】
また、容器本体上部１１の上部嵌合部１１６及び容器本体下部１２の下部嵌合部１２１は、図１から図４に示したものに限らず、例えば図５に示すように、容器本体上部１１に、一定の間隔で上部凸部１１６２と上部凹部１１６３とを有する上部嵌合部１１６Ａを備え、容器本体下部１２に、一定の間隔で下部凸部１２１２と下部凹部１２１３とを有する下部嵌合部１２１Ａを備え、これらの凹部と凸部とが容器本体１の閉塞時において組み合わさることで、上部嵌合部１１６Ａと下部嵌合部１２１Ａとが嵌合するようにしてもよい。
この場合、上部嵌合部と下部嵌合部とを強固に嵌合させることができ、家庭用薄葉紙収納容器の使用中に容器本体上部と、容器本体下部とが外れてしまい難くなる。
【００５９】
また、容器本体上部の開閉蓋２の構造は、図示した開閉蓋２が付勢手段３によって付勢されたものに限られず、取出孔１１２を開閉できれば任意の構造を採用可能である。例えば、特に付勢手段を備えず、使用者が手で逐一これを掴んで開閉するようにしてもよい。
【符号の説明】
【００６０】
１００、１００Ａ  家庭用薄葉紙収納容器
１  容器本体
１１  容器本体上部
１１２  取出孔
１１６、１１６Ａ  上部嵌合部
１１６１  上部突出部
１１６２  上部凸部
１１６３  上部凹部
１２  容器本体下部
１２１、１２１Ａ  下部嵌合部
１２１１  下部突出部
１２１２  下部凸部
１２１３  下部凹部
１２２  下部滑り止め部（滑り止め部）
２  開閉蓋
Ｐ  家庭用薄葉紙
【図１】
2019151386.tif 000003
【図２】
2019151386.tif 000004
【図３】
2019151386.tif 000005
【図４】
2019151386.tif 000006
【図５】
2019151386.tif 000007
【図６】
2019151386.tif 000008
【手続補正書】
【提出日】平成30年12月20日(2018.12.20)
【手続補正１】
【補正対象書類名】明細書
【補正対象項目名】０００６
【補正方法】変更
【補正の内容】
【０００６】
前記課題を解決するために、請求項１記載の発明は、
内部に家庭用薄葉紙が収納される容器本体を備えた家庭用薄葉紙収納容器であって、
前記容器本体は、
前記容器本体の上部を形成する容器本体上部と、前記容器本体の下部を形成する容器本体下部と、を備え、
前記容器本体上部は、家庭用薄葉紙を取り出す取出孔を有し、当該取出孔を閉塞する開閉蓋が備えられ、
前記容器本体上部と、前記容器本体下部とは、前記容器本体上部の下端部と、前記容器本体下部の上端部とにおいて、回動自在に接続され、
前記容器本体上部の下端部には、前記容器本体下部と接続された部分を除いて前記容器本体上部を周回するようにして、弾性材料によって形成された上部嵌合部が備えられ、
前記容器本体下部の上端部には、前記容器本体上部と接続された部分を除いて前記容器本体下部を周回するようにして、弾性材料によって形成され、前記上部嵌合部と嵌合する下部嵌合部が備えられ、
前記上部嵌合部には、周方向において交互に、上部凸部と上部凹部とが形成され、
前記下部嵌合部には、周方向において交互に、下部凸部と下部凹部とが形成され、
前記上部凸部と前記下部凹部とが組み合わさり、前記上部凹部と前記下部凸部とが組み合わさることによって、前記上部嵌合部と、前記下部嵌合部とが嵌合することを特徴とする。
本発明によれば、内部の家庭用薄葉紙を詰め替え易くなる。また、容器本体の密閉性を改善することができ、かつ、容器本体上部と、容器本体下部とを強固に嵌合させることができる。
【手続補正２】
【補正対象書類名】明細書
【補正対象項目名】０００７
【補正方法】変更
【補正の内容】
【０００７】
請求項２に記載の発明は、
内部に家庭用薄葉紙が収納される容器本体を備えた家庭用薄葉紙収納容器であって、
前記容器本体は、
前記容器本体の上部を形成する容器本体上部と、前記容器本体の下部を形成する容器本体下部と、を備え、
前記容器本体上部は、家庭用薄葉紙を取り出す取出孔を有し、当該取出孔を閉塞する開閉蓋が備えられ、
前記容器本体上部と、前記容器本体下部とは、前記容器本体上部の下端部と、前記容器本体下部の上端部とにおいて、回動自在に接続され、
前記容器本体上部の下端部には、前記容器本体下部と接続された部分を除いて前記容器本体上部を周回するようにして、弾性材料によって形成された上部嵌合部が備えられ、
前記容器本体下部の上端部には、前記容器本体上部と接続された部分を除いて前記容器本体下部を周回するようにして、弾性材料によって形成され、前記上部嵌合部と嵌合する下部嵌合部が備えられ、
前記容器本体上部は、上面の、前記開閉蓋の接続部近傍の前記取出孔が備えられたのと反対側に、弾性材料によって形成された上部滑り止め部を備えることを特徴とする。
【手続補正３】
【補正対象書類名】明細書
【補正対象項目名】０００８
【補正方法】変更
【補正の内容】
【０００８】
請求項３に記載の発明は、
内部に家庭用薄葉紙が収納される容器本体を備えた家庭用薄葉紙収納容器であって、
前記容器本体は、
前記容器本体の上部を形成する容器本体上部と、前記容器本体の下部を形成する容器本体下部と、を備え、
前記容器本体上部は、家庭用薄葉紙を取り出す取出孔を有し、当該取出孔を閉塞する開閉蓋が備えられ、
前記容器本体上部と、前記容器本体下部とは、前記容器本体上部の下端部と、前記容器本体下部の上端部とにおいて、回動自在に接続され、
前記容器本体上部の下端部には、前記容器本体下部と接続された部分を除いて前記容器本体上部を周回するようにして、弾性材料によって形成された上部嵌合部が備えられ、
前記容器本体下部の上端部には、前記容器本体上部と接続された部分を除いて前記容器本体下部を周回するようにして、弾性材料によって形成され、前記上部嵌合部と嵌合する下部嵌合部が備えられ、
弾性材料によって前記容器本体上部と一体的に形成され、前記開閉蓋を開放方向に付勢する付勢手段を備えることを特徴とする。
【手続補正４】
【補正対象書類名】明細書
【補正対象項目名】０００９
【補正方法】変更
【補正の内容】
【０００９】
請求項４に記載の発明は、請求項２又は３に記載の家庭用薄葉紙収納容器において、
前記上部嵌合部には、外周側又は内周側のみが下方へと突出するようにして形成された上部突出部が備えられ、
前記下部嵌合部には、内周側又は外周側のみが上方へと突出するようにして形成された下部突出部が備えられ、
前記上部突出部と、前記下部突出部とが嵌合することを特徴とする。
本発明によれば、容器本体の密閉性をさらに改善することができる。
【手続補正５】
【補正対象書類名】明細書
【補正対象項目名】００１０
【補正方法】変更
【補正の内容】
【００１０】
請求項５に記載の発明は、請求項１から４のいずれか一項に記載の家庭用薄葉紙収納容器において、
前記容器本体は略直方体状に形成され、
前記容器本体上部と、前記容器本体下部とは、前記容器本体の一面においてのみ接続されていることを特徴とする。
本発明によれば、内部の家庭用薄葉紙を詰め替え易くなる。
【手続補正６】
【補正対象書類名】明細書
【補正対象項目名】００１１
【補正方法】変更
【補正の内容】
【００１１】
請求項６に記載の発明は、請求項１から５のいずれか一項に記載の家庭用薄葉紙収納容器において、
前記容器本体は、上下方向中央部よりも上部において、前記容器本体上部と、前記容器本体下部とに分割されていることを特徴とする。
本発明によれば、内部の家庭用薄葉紙をさらに詰め替え易くなる。
【手続補正７】
【補正対象書類名】特許請求の範囲
【補正対象項目名】全文
【補正方法】変更
【補正の内容】
【特許請求の範囲】
【請求項１】
内部に家庭用薄葉紙が収納される容器本体を備えた家庭用薄葉紙収納容器であって、
前記容器本体は、
前記容器本体の上部を形成する容器本体上部と、前記容器本体の下部を形成する容器本体下部と、を備え、
前記容器本体上部は、家庭用薄葉紙を取り出す取出孔を有し、当該取出孔を閉塞する開閉蓋が備えられ、
前記容器本体上部と、前記容器本体下部とは、前記容器本体上部の下端部と、前記容器本体下部の上端部とにおいて、回動自在に接続され、
前記容器本体上部の下端部には、前記容器本体下部と接続された部分を除いて前記容器本体上部を周回するようにして、弾性材料によって形成された上部嵌合部が備えられ、
前記容器本体下部の上端部には、前記容器本体上部と接続された部分を除いて前記容器本体下部を周回するようにして、弾性材料によって形成され、前記上部嵌合部と嵌合する下部嵌合部が備えられ、
前記上部嵌合部には、周方向において交互に、上部凸部と上部凹部とが形成され、
前記下部嵌合部には、周方向において交互に、下部凸部と下部凹部とが形成され、
前記上部凸部と前記下部凹部とが組み合わさり、前記上部凹部と前記下部凸部とが組み合わさることによって、前記上部嵌合部と、前記下部嵌合部とが嵌合することを特徴とする家庭用薄葉紙収納容器。
【請求項２】
内部に家庭用薄葉紙が収納される容器本体を備えた家庭用薄葉紙収納容器であって、
前記容器本体は、
前記容器本体の上部を形成する容器本体上部と、前記容器本体の下部を形成する容器本体下部と、を備え、
前記容器本体上部は、家庭用薄葉紙を取り出す取出孔を有し、当該取出孔を閉塞する開閉蓋が備えられ、
前記容器本体上部と、前記容器本体下部とは、前記容器本体上部の下端部と、前記容器本体下部の上端部とにおいて、回動自在に接続され、
前記容器本体上部の下端部には、前記容器本体下部と接続された部分を除いて前記容器本体上部を周回するようにして、弾性材料によって形成された上部嵌合部が備えられ、
前記容器本体下部の上端部には、前記容器本体上部と接続された部分を除いて前記容器本体下部を周回するようにして、弾性材料によって形成され、前記上部嵌合部と嵌合する下部嵌合部が備えられ、
前記容器本体上部は、上面の、前記開閉蓋の接続部近傍の前記取出孔が備えられたのと反対側に、弾性材料によって形成された上部滑り止め部を備えることを特徴とする家庭用薄葉紙収納容器。
【請求項３】
内部に家庭用薄葉紙が収納される容器本体を備えた家庭用薄葉紙収納容器であって、
前記容器本体は、
前記容器本体の上部を形成する容器本体上部と、前記容器本体の下部を形成する容器本体下部と、を備え、
前記容器本体上部は、家庭用薄葉紙を取り出す取出孔を有し、当該取出孔を閉塞する開閉蓋が備えられ、
前記容器本体上部と、前記容器本体下部とは、前記容器本体上部の下端部と、前記容器本体下部の上端部とにおいて、回動自在に接続され、
前記容器本体上部の下端部には、前記容器本体下部と接続された部分を除いて前記容器本体上部を周回するようにして、弾性材料によって形成された上部嵌合部が備えられ、
前記容器本体下部の上端部には、前記容器本体上部と接続された部分を除いて前記容器本体下部を周回するようにして、弾性材料によって形成され、前記上部嵌合部と嵌合する下部嵌合部が備えられ、
弾性材料によって前記容器本体上部と一体的に形成され、前記開閉蓋を開放方向に付勢する付勢手段を備えることを特徴とする家庭用薄葉紙収納容器。
【請求項４】
前記上部嵌合部には、外周側又は内周側のみが下方へと突出するようにして形成された上部突出部が備えられ、
前記下部嵌合部には、内周側又は外周側のみが上方へと突出するようにして形成された下部突出部が備えられ、
前記上部突出部と、前記下部突出部とが嵌合することを特徴とする請求項２又は３に記載の家庭用薄葉紙収納容器。
【請求項５】
前記容器本体は略直方体状に形成され、
前記容器本体上部と、前記容器本体下部とは、前記容器本体の一面においてのみ接続されていることを特徴とする請求項１から４のいずれか一項に記載の家庭用薄葉紙収納容器。
【請求項６】
前記容器本体は、上下方向中央部よりも上部において、前記容器本体上部と、前記容器本体下部とに分割されていることを特徴とする請求項１から５のいずれか一項に記載の家庭用薄葉紙収納容器。
【請求項７】
前記容器本体下部は、下面に弾性材料によって形成された滑り止め部を備えることを特徴とする請求項１から６のいずれか一項に記載の家庭用薄葉紙収納容器。
【請求項８】
前記弾性材料は、硬度が２０以上、９０以下であることを特徴とする請求項４から７のいずれか一項に記載の家庭用薄葉紙収納容器。